(57)【要約】【課題】任意のセグメントを用いて放送されるデジタル放送を受信する場合に、スキャン動作を行うことなく選局可能とすることにより、利便性の高いデジタル放送受信装置等を提供すること。【解決手段】複数セグメントの一部のセグメントを用いて一の送信局から送信されるデジタル放送信号を受信して選局し、選局された番組のトランスポートストリームを出力するチューナー部を備え、チューナー部により出力されたトランスポートストリームから、他の送信局を含む送信局の送信周波数を取得し、取得された送信周波数に対応する他の送信局を、一の送信局と同一のシステムを構成する送信局として登録する。そして、一の送信局からデジタル放送信号が受信できなくなった場合には、登録された同一のシステムを構成する送信局の送信周波数に基づいてデジタル放送信号を受信する。【選択図】図７
2010016442.tif 000002
【特許請求の範囲】
【請求項１】
複数セグメントの一部のセグメントを用いて一の送信局から送信されるデジタル放送信号を受信して選局し、選局された番組のトランスポートストリームを出力するチューナー部を備えたデジタル放送受信装置であって、
前記チューナー部により出力されたトランスポートストリームから、他の送信局を含む送信局の送信周波数を取得する送信周波数取得部と、
前記送信周波数取得部により取得された送信周波数に対応する他の送信局を、一の送信局と同一のシステムを構成する送信局として登録する登録部と、
を備え、
前記チューナー部は、一の送信局からデジタル放送信号が受信できなくなった場合には、前記登録部により登録された同一のシステムを構成する送信局の送信周波数に基づいてデジタル放送信号を受信することを特徴とするデジタル放送受信装置。
【請求項２】
複数セグメントの一部のセグメントを用いてデジタル放送信号を送信する送信局と、前記デジタル放送信号を受信して選局し、選局された番組のトランスポートストリームを出力するチューナー部を備えたデジタル放送受信装置とを備えたデジタル放送システムであって、
前記送信局は、
同一のシステムを構成する送信局の送信周波数をトランスポートストリームに多重化する処理を行う多重化処理部を備え、
前記デジタル放送受信装置は、
前記チューナー部により出力されたトランスポートストリームから、他の送信局を含む送信局の送信周波数を取得する送信周波数取得部と、
前記送信周波数取得部により取得された送信周波数に対応する他の送信局を、前記送信局と同一のシステムを構成する送信局として登録する登録部と、
を有し、
前記チューナー部は、一の送信局からデジタル放送信号が受信できなくなった場合には、前記登録部により登録された同一のシステムを構成する送信局の送信周波数に基づいてデジタル放送信号を受信することを特徴とするデジタル放送システム。
【請求項３】
前記多重化処理部は、前記送信局に隣接する送信局の送信周波数をトランスポートストリームに多重化して処理することを特徴とする請求項２に記載のデジタル放送システム。
【発明の詳細な説明】
【技術分野】
【０００１】
本発明は、複数セグメントの一部のセグメントを用いて一の送信局から送信されるデジタル放送信号を受信して選局し、選局された番組のトランスポートストリームを出力するチューナー部を備えたデジタル放送受信装置等に関する。
【背景技術】
【０００２】
地上デジタル放送の１チャンネルの帯域は、１３のセグメントに分割されており、そのうちの中心周波数の１セグメントが携帯受信用となっており、残りの１２セグメントは固定受信用である（例えば、非特許文献１参照）。地デジワンセグ放送対応の放送受信装置は、この中心セグメントで放送されているＴＳ（トランスポートストリーム）を受信し、映像、音声、データ放送を提示するよう設計されている。
【０００３】
この放送受信装置の一例として、携帯端末向け地上デジタル放送を受信するワンセグ対応携帯電話等があげられる。従来の携帯電話には、選局のユーザーインターフェースとして、数字キーや左右キーを押下して所望の放送局を選択する機能や、左右キー長押下等の特定の操作を行うことで、物理周波数順に受信可能な放送局をサーチし、受信可能な放送を視聴者に提示する機能が備わっている。従来の携帯端末向け地上デジタル放送を受信するワンセグ対応携帯電話は、携帯受信用のワンセグメントのみを受信することを想定しているため、選局時にチューナーが受信する物理周波数は、中心セグメント（セグメント０）に合わせられる。
【０００４】
近年、地上デジタル放送の１チャンネルの中心セグメント以外のセグメントで、ワンセグの放送を行う放送方式が提案されている（例えば、非特許文献２、非特許文献３参照）。一例として、複数のセグメントの内、任意のセグメントで放送されている狭帯域ワンセグ放送を受信可能な受信装置（任意セグメント放送受信装置）が知られている。
【非特許文献１】ワンセグサービス、[online]、ＮＴＴドコモ、インターネット＜http://www.nttdocomo.co.jp/service/music_movie/1seg/＞
【非特許文献２】土田健一、ワンセグ連結再送信装置の開発、[online]、ＮＨＫ放送技術研究所、インターネット＜http://www.nhk.or.jp/strl/publica/giken_dayori/jp2/rd-0702-2.html＞
【非特許文献３】ワンセグエリアポータル放送、[online]、エリアポータル株式会社、インターネット＜http://www.areaportal.co.jp/pdf/wtp2006/wtp_2006.pdf＞
【発明の開示】
【発明が解決しようとする課題】
【０００５】
ここで、上述したように、地上デジタル放送１チャンネルの中心セグメント（０セグメント）以外のセグメントで、ワンセグの放送を行う放送方式が提案されている。この場合、上記１３のセグメントの中から、セグメント０のみでなく、０〜１２の番号を持つ任意のセグメントで放送サービスを構成することができる。したがって、同放送方式の放送サービスを見つけるためには、チャネルごとに１３のセグメント全てをスキャンしていかなければならず、従来方式によりセグメント０のみをスキャンする場合と比較すると理論上最大１３倍の総スキャン時間となってしまい、迅速にチャンネルを切り替えるといったことが出来なかった。
【０００６】
また、あるエリアでセグメント分離放送が行われている場合、ユーザーが長い時間をかけてセグメント毎のスキャンを行ったとしても、ユーザーの受信環境によっては、放送されている全てのセグメントが受信できるとは限らないといった問題点があった。
【０００７】
すなわち、隣接するエリアの送信局では送信されている番組については、現在のエリアの送信局で送信されていない場合、隣接するエリアに移動したとしても番組が受信できない場合があった。
【０００８】
ここで、受信エリアが変わる度に、全チャンネルをスキャンすると、スキャン動作に時間がかかり、適切な選局が行えなくなっていた。
【０００９】
上述した課題に鑑み、本発明が目的とするところは、任意のセグメントを用いて放送されるデジタル放送を受信する場合に、スキャン動作を行うことなく選局可能とすることにより、利便性の高いデジタル放送受信装置等を提供することである。
【課題を解決するための手段】
【００１０】
上述した課題を解決するために、本発明のデジタル放送受信装置は、複数セグメントの一部のセグメントを用いて一の送信局から送信されるデジタル放送信号を受信して選局し、選局された番組のトランスポートストリームを出力するチューナー部を備えたデジタル放送受信装置であって、前記チューナー部により出力されたトランスポートストリームから、他の送信局を含む送信局の送信周波数を取得する送信周波数取得部と、前記送信周波数取得部により取得された送信周波数に対応する他の送信局を、一の送信局と同一のシステムを構成する送信局として登録する登録部と、を備え、前記チューナー部は、一の送信局からデジタル放送信号が受信できなくなった場合には、前記登録手段により登録された同一のシステムを構成する送信局の送信周波数に基づいてデジタル放送信号を受信することを特徴とする。
【００１１】
また、本発明のデジタル放送システムは、複数セグメントの一部のセグメントを用いてデジタル放送信号を送信する送信局と、前記デジタル放送信号を受信して選局し、選局された番組のトランスポートストリームを出力するチューナー部を備えたデジタル放送受信装置とを備えたデジタル放送システムであって、前記送信局は、同一のシステムを構成する送信局の送信周波数をトランスポートストリームに多重化する処理を行う多重化処理部を備え、前記デジタル放送受信装置は、前記チューナー部により出力されたトランスポートストリームから、他の送信局を含む送信局の送信周波数を取得する送信周波数取得部と、前記送信周波数取得部により取得された送信周波数に対応する他の送信局を、前記送信局と同一のシステムを構成する送信局として登録する登録部と、を有し、前記チューナー部は、一の送信局からデジタル放送信号が受信できなくなった場合には、前記登録手段により登録された同一のシステムを構成する送信局の送信周波数に基づいてデジタル放送信号を受信することを特徴とする。
【００１２】
また、本発明のデジタル放送システムにおいて、前記多重化処理部は、前記送信局に隣接する送信局の送信周波数をトランスポートストリームに多重化して処理することを特徴とする。
【発明の効果】
【００１３】
本発明によれば、複数セグメントの一部のセグメントを用いて一の送信局から送信されるデジタル放送信号を受信して選局し、選局された番組のトランスポートストリームを出力するチューナー部により出力されたトランスポートストリームから、他の送信局を含む送信局の送信周波数を取得し、取得された送信周波数に対応する他の送信局を、一の送信局と同一のシステムを構成する送信局として登録する。そして、一の送信局からデジタル放送信号が受信できなくなった場合には、登録された同一のシステムを構成する送信局の送信周波数に基づいてデジタル放送信号を受信することとなる。したがって、デジタル放送受信装置が、送信局を変えてデジタル放送信号を新たに受信する場合に、スキャン動作等をすることなく、登録された周波数に基づいてデジタル放送信号を受信・選局することが可能となる。
【発明を実施するための最良の形態】
【００１４】
以下添付図面を参照しながら、本発明の実施の形態について説明し、本発明の理解に供する。尚、以下の実施の形態は、本発明を具体化した一例であって、本発明の技術的範囲を限定する性格のものではない。
【００１５】
〔実施の形態〕
本発明の一実施の形態について図に基づいて説明すれば、以下のとおりである。なお、本実施形態では、本発明のデジタル放送受信装置を携帯電話に適用した場合について説明する。
【００１６】
［１．全体構成］
図１は送信局１の配置の一例を説明するための図である。送信局１は複数の同一システムの送信局で構成されている、デジタル放送信号を送信する送信局のひとつである。図１の場合、送信局１ａと、送信局１ｃ及び送信局１ｄは同一システムの送信局であり、送信局１ｂは送信局１ａとは同一システム外の送信局である。
【００１７】
送信局１ａは、同一システムの送信局である送信局１ｄ及び送信局１ｃの送信周波数をＮＩＴの周波数として送信する。同一システム外の送信局１ｃの場合、送信エリアが重なった場合でも、同一システムでない周波数はＮＩＴに記述しないこととする。
【００１８】
また、同様に送信局１ｃは送信局１ａ及び送信局１ｄの周波数情報のみをＮＩＴに記述し、送信局１ｄは送信局１ａ及び送信局１ｃの周波数情報のみをＮＩＴに記述する。ここで、同一システムとは、放送する複数の番組が同一の目的サービスとして作成されているシステムであり、複数の番組内容が同じような系統の番組内容であったり、番組間で情報が連携しあったりする関係をもっているようなシステムである。また、送信局間の送信エリアが重なっている場合でも、送信局間の送信エリアが離れている送信局に対しても同一目的で送信情報が作成されているのであれば同一システムとする。
【００１９】
たとえば、図１の送信局の同一システムとして駅前のサービス放送のようなものだとすると、１ａの送信局では駅の北口周辺の商店街の案内放送で、１ｃは南口周辺の商店街の案内と展示場までの道案内の番組で、１ｄは駅から少し離れた展示場内の案内放送のように、放送のサービスない内容が関連していて、視聴者にとって移動して視聴不可になった場合に、関連した放送を視聴することを要求する可能性が高い番組を送信する放送システムである。
【００２０】
図２を用いて本発明のデジタル放送受信装置を適用した携帯電話３の概略概念図である。携帯電話３は液晶画面等からなる表示部３６０と、入力部３７０と、地上デジタル放送受信用アンテナ３３２と、図示しない携帯向け地上デジタル放送受信チューナーと、携帯向け地上デジタル放送受信装置とを有する。
【００２１】
表示部３６０は、地上デジタル放送の映像及び、データ放送を表示する。入力部３７０は、視聴者が携帯電話の地上デジタル放送視聴操作を行う部分で、入力部３７０の操作により、視聴開始／終了、選局、放送局サーチ等の操作を行う。本実施形態の携帯電話３は、視聴者が所定の操作を行うと、前記地上デジタル放送受信チューナー及び携帯向け地上デジタル放送受信装置により、所望の放送局の映像／音声／データ放送を受信することとなる。
【００２２】
［２．機能構成］
つづいて、送信局１及び携帯電話３の機能構成について説明する。図３は、本実施形態の送信局１の機能ブロック図である。送信局１は、送信データエンコード部１１０と、システム情報作成部１１２と、多重化処理部１１４と、ＣＲＣ符号付加処理部１１６と、データ変調部１１８と、データ送信部１２０とを備えて構成されている。
【００２３】
まず、デジタル放送がＭＰＥＧ２システム規格（ISO/IEC13818-1）に準拠して行われるとする。送信データエンコード部１１０は、ビデオデータやオーディオデータ、字幕データ、ＢＭＬデータ等を符号化、圧縮して送信用のＰＥＳ（Packetized Elementary Stream）を構築するものである。
【００２４】
システム情報作成部１１２は選局に必要な情報であるＰＳＩ（Program Specific Information）や、番組配列情報のうち、受信装置でのＥＰＧ（Electronic Program Guide)等のユーザーインターフェースに必要なＳＩ（Service Information）を生成するものである。ＰＳＩはＭＰＥＧ２システム規格（ISO/IEC 13818-1）で規定されており、ＳＩは欧州ではＤＶＢ規格（ETS300 468）、日本ではＡＲＩＢ規格（ARIB-STD B10）で規定されている。
【００２５】
多重化処理部１１４は、送信データエンコード部１１０と、システム情報作成部１１２とで生成されたデータをトランスポートパケットにして、トランスポートストリーム（ＴＳ）に多重するものである。
【００２６】
ＣＲＣ符号付加処理部１１６は、トランスポートストリーム（ＴＳ）に誤り訂正符号を付加する処理を行う機能部である。データ変調部１１８は、トランスポートストリーム（ＴＳ）を送信するために変調する機能部であり、変調方法としては欧州、日本の地上波デジタルの場合はＯＦＤＭが用いられる。データ送信部１２０は、データ変調部１１８から入力された変調されたトランスポートストリーム（ＴＳ）を、伝送路に電波として放射するものである。
【００２７】
ここで、図３のシステム情報作成部１１２において作成されるシステム情報の詳細を図４を用いて説明する。ＰＡＴ（Program Association Table）情報１１２ａは、ＴＳ内に含まれるプログラム一覧を、ＰＭＴ（Program Map Table）のＰＩＤ一覧で格納してある情報である。
【００２８】
ＰＭＴ情報１１２ｂは、プログラムに含まれる画像や音声などの各ＰＩＤを格納した情報である。ＰＭＴから画像や音声などのＰＩＤを得ることが出来れば、それらＰＩＤのついたＴＳパケットを取得することでプログラムを再生できる。
【００２９】
ＮＩＴ（Network Information Table）情報１１２ｃは、チャンネル番号や変調方式、周波数、ガードインターバルなど、送信するネットワークに関する情報である。
【００３０】
ＥＩＴ（Event Information Table）情報１１２ｄは、番組の名称や放送日時、放送内容など、番組に関連する情報である。
【００３１】
ＢＩＴ（Broadcaster Information Table）情報１１２ｅは、放送局識別情報（ＢＳＤ）や、系列情報（地上Ｄ）、各ＳＩテーブルの再送周期、ＳＩの掲載期間、ロゴ情報の伝送方法など、放送局のＳＩ送信情報である。
【００３２】
ＳＤＴ（Service Description Table）情報１１２ｆは、チャンネルの名称が含まれる情報である。また、各チャンネル（サービス）で送出されるＥＩＴの種類、デジタルコピー制御情報も含まれる。その他、ＡＲＩＧＢ、ＳＴＤで規定されている情報が入る場合がある。
【００３３】
つづいて、携帯電話３の機能構成について図５を用いて説明する。携帯電話３は、携帯電話を制御する制御部３１０と、無線部３２０と、無線部３２０に接続された通信用アンテナ３２２と、携帯電話の通信を制御する通信制御部３２５と、地上デジタル放送用のフロントエンド部３３０と、フロントエンド部３３０に接続された地上デジタル放送受信用アンテナ３３２と、ワンセグ用バックエンド部３３５と、通話時やテレビ視聴時の音声を出力するスピーカ３４５と、スピーカ３４５に音声を出力する音声復号部３４０と、音声を入力するマイク３５５と、マイク３５５から入力された音声を符号化する音声符号化部３５０と、地上デジタル放送の映像やデータ放送、放送局名や番組名等現在選局中のチャンネルの情報を表示する表示部３６０と、視聴者からの入力を受け付ける入力部３７０と、記憶部３８０とを備えて構成されている。
【００３４】
制御部３１０は、携帯電話３の制御を行う機能部であり、記憶されている各種プログラムを読み出して実行することにより、各処理を実現する機能部である。例えば、ＣＰＵ（Central Processing Unit）により構成されている。
【００３５】
無線部３２０は、通信用アンテナ３２２を介して電話基地局（不図示）と通信を行うことにより、各電話機能を提供する機能部である。無線部３２０は、通信制御部３２５により制御され、電話基地局と通信することとなる。なお、本発明と電話機能は直接関係がないため、その詳細な説明を省略する。
【００３６】
フロントエンド部３３０は、地上デジタル放送受信用アンテナ３３２から入力される地上デジタル放送の、各チャンネルの任意のセグメントを受信可能なチューナーと復調器から構成され、復調されたＴＳ（トランスポートストリーム）をワンセグ用バックエンド部３３５に出力する。ワンセグ用バックエンド部３３５は、入力されたＴＳから映像データや音声データ、番組選択に用いるデータであるＰＳＩ（Program Specific Information）セクション、番組の情報を示すＳＩ（Service information）セクション、データ放送用のデータ等を分離する。
【００３７】
このうち、ＰＳＩ、ＳＩセクション、データ放送用のデータは制御部３１０に入力され、制御部３１０のソフトウェアで処理される。映像データ、音声データはワンセグ用バックエンド部３３５でデコードされ、表示部３６０及びスピーカ３４５により、視聴者に映像／音声が提示される。
【００３８】
音声復号部３４０は、通信制御部３２５から入力された音声データや、ワンセグ用バックエンド部３３５から入力された音声データを復号し、スピーカ３４５に出力する機能部である。また、音声符号化部３５０は、マイク３５５から入力された音声を符号化し、通信制御部３２５に出力する機能部である。
【００３９】
表示部３６０は、携帯電話３における各種状態等を表示するための表示部である。また、フロントエンド部３３０及びワンセグ用バックエンド部３３５から入力された映像データを表示するための機能部である。なお、表示部３６０は、例えばＬＣＤ（Liquid Crystal Display）等から構成されている。
【００４０】
入力部３７０は、視聴者から操作・指示の入力を受け付ける機能部である。入力部３７０には、方向キーやテンキー７０４等を含んで構成されている。なお、本実施形態においては、入力部３７０はキー（ボタン）で構成されていることとして説明するが、例えばタッチパネル等他の入力手段により構成されていても良いことは勿論である。
【００４１】
記憶部３８０は、携帯電話３の設定状態を記憶したり、各種データを保存したりするための機能部である。ここで、記憶部３８０は、半導体メモリ、ハードディスクドライブ、光学式ドライブ等のいずれかの記憶装置により構成されている。また、記憶部３８０は、現在受信可能なチャンネルの一覧が登録されており、選局のときに、参照されることとなる。
【００４２】
［３．チャンネル構成］
つづいて、本実施形態における地上デジタル放送のチャンネル構成について、図６を用いて説明する。通常の地上デジタル放送のひとつのチャンネルは、図６（ａ）に示すように、約５．７MHzの帯域幅を持ち、この帯域を１３のセグメントに分割し、中央のセグメント（セグメント０）で携帯端末向けの放送（ワンセグ放送）が行われ、残りの１２セグメントで固定受信用の放送が行われている。
【００４３】
本実施形態において対象とする放送システムは、上述のワンセグ放送の放送システムに加えて、図６（ｂ）に示すような、複数の送信機から、同じチャンネルの重複しないセグメントで、ひとつ又は複数のワンセグ放送が行われるようなセグメント分離放送がある。図６（ｂ）のような放送は、地下街や、競技場、駅周辺等の狭いエリアでの放送が想定されているもので、これらのエリアでは別のチャンネルで通常のワンセグ放送が受信可能な場合もある。
【００４４】
本実施形態では、現在ワンセグ放送で使用されていないチャンネルのひとつを利用し、図６（ｂ）のようなセグメント分離放送を行っているサービスエリアにおいて、任意のセグメントを受信し、そのＰＳＩ／ＳＩ情報から、そのエリア内でのチャンネルの他のセグメント分離放送の周波数も同時に取得し、携帯端末内にセグメント受信用チャンネルリストとして記憶し、同サービス内でサービス内容をユーザーに提供し、且つエリア移動時における選局処理を簡単に行えるようにするものである。
【００４５】
また、端末がセグメント０のワンセグメント放送（通常のワンセグ放送）を選局時に受信している状態を「通常ワンセグ受信モード」と呼び、セグメント分離放送を選局時に受信している状態を「セグメント受信モード」と呼ぶ。通常ワンセグ受信モードでは、選局時にフロントエンド部３３０に設定される物理周波数の単位はチャンネル単位であるのに対し、セグメント受信モードにおいては、設定される物理周波数の単位はセグメント単位となる。
【００４６】
［４．処理の流れ］
続いて、携帯電話３における処理の流れを、図７のフローチャートを用いて説明する。図７は本実施形態における携帯電話３の動作を説明する為のフローチャートである。
【００４７】
まず、視聴者が携帯電話３の電源を投入して起動処理が行われた後、制御部３１０は、視聴者からのキー入力により、ワンセグ起動処理が実行される（ステップＳ１０）。ワンセグ起動処理により、フロントエンド部３３０及びワンセグ用バックエンド部３３５が起動される。
【００４８】
まず、図１のようなセグメント放送をしているエリアＡの位置でワンセグ起動が行われた後、セグメント放送を受信するためにセグメント受信モードに変更する（ステップＳ１２）。その後、送信局１ａの周波数に選局処理が行われる（ステップＳ１４）。ここで、制御部３１０は、フロントエンド部３３０への受信周波数の設定、ワンセグ用バックエンド部３３５への、制御部３１０が取得、解析するＴＳパケット種別の設定を行う。
【００４９】
制御部３１０は、入力されたＰＳＩ／ＳＩを解析し（ステップＳ１６）、ＰＳＩのひとつであるＮＩＴ（Network Information Table）に記述されている周波数を全て取得する。送信局１ａでは、送信局１ａの周波数情報と、送信局１ｂ及び送信局１ｃとの情報が記載されているため、同一のシステムに属する送信局の周波数を全部取得することになる。
【００５０】
具体的に、図８及び図９を用いて説明する。図８は、パケットの概略を説明する為の図である。フロントエンド部３３０が出力するＴＳは、固定長のＴＳパケットの集合であり、それぞれのＴＳパケットは、ヘッダ部に含まれるパケットＩＤにより映像、音声、ＰＳＩ／ＳＩ等のパケットに分類される。
【００５１】
社団法人電波産業界（ＡＲＩＢ）規定されているＰＳＩパケットのひとつであるＮＩＴ（Network Information Table）の構成を図９に示す。図９（ａ）の［table_id］は、このネットワーク情報のセクションが何を示すセクションであるかを示す識別子であり、現在受信している送信局のサービスの記述を行う。
【００５２】
また、［section_syntax_indicator］は、セクションシンタクス指示を示す識別子であり、［section_length］は、セクション長フィールドの直後からＣＲＣ（Cyclic Redundancy Check）を含むセクションの最後までのセクションのバイト数を規定する識別子である。
【００５３】
［network_id］は、ＮＩＴが示すネットワークを識別するためのＩＤであり、［version_number］は、サブテーブルのバージョン番号を示す識別子である。［current_next_indicator］は、この値が「１」である場合に、サブテーブルが現在のサブテーブルであることを示し、「０」である場合に、送られるサブテーブルはまだ適用されず、次のサブテーブルを使用することを示す識別子である。
【００５４】
［section_number］は、セクションの番号を示す識別子であり、サブテーブル中の最初のセクションである場合に「０ｘ００」なる値となる。このセクション番号は、同一の［table_id］と［network_id］とを有するセクションの追加ごとに値が「１」ずつ加算される。
【００５５】
［last_section_number］は、そのセクションが属するサブテーブルの最後のセクション、すなわち最大のセクション番号を有するセクションの番号を示す識別子であり、［network_descriptors_length］は、以下に続くネットワーク記述子（descripter()のこと）のループの全バイト数を示す識別子である。
【００５６】
［transport_stream_loop_length］は、ＣＲＣの最初のバイトの直前に終わるトランスポートストリームループの全バイト数を示す識別子である。トランスポートストリームループ中において、［transport_stream_id］は、このトランスポートストリームを分配システム内の他の多重から識別するための識別子であり、［original_network_id］は、元のネットワークの［network_id］を示す識別子である。［transport_descriptors_length］は、以下に続くトランスポート記述子（descripter()のこと）のループの全バイト数を示す識別子である。［CRC_32］は、ＣＲＣを示し、セクション全体を処理した後にレジスタ出力が「０」となるようなＣＲＣ値を含む識別子である。
【００５７】
このように、デジタル放送システムでは、ＮＩＴにネットワークを識別するためのネットワークＩＤ［network_id］を記述し、放送システムを構築する上で、ネットワークという概念が導入されている。
【００５８】
ＡＲＩＢ  ＳＴＤ−Ｂ１０の中で定義されている地上分配システム記述子のデータ構造を図９（ｂ）に示し、この地上分配システム記述子について説明をする。［descriptor_tag］は、各種ネットワーク記述子を識別するための識別子であり、地上分配システム記述子の場合には、所定の値が記述される。なお、この［descriptor_tag］に記述すべき値は、ネットワーク記述子の種別に応じて、ＭＰＥＧ−２  Ｓｙｓｔｅｍｓの規定に即した値とされる。
【００５９】
［descriptor_length］は、この識別子の直後に続くネットワーク記述子のデータ部分の全バイト数を示す識別子である。［area_code］は、当該トランスポートストリームが送信されるサービスエリアを示す識別子であり、１２ビットの識別子である。
【００６０】
［guard_interval］は、当該トランスポートストリームが変調されているＯＦＤＭ信号のガードインターバル長、伝送モードを示す識別子であり、［transmission_mode］は、当該トランスポートストリームが変調されているＯＦＤＭ信号のモード情報を示す識別子である。そして、［frequency］は、当該トランスポートストリームが送信されるＯＦＤＭ信号のＲＦ周波数を示す識別子である。なお、［frequency］は、複数の周波数を使用した再送信を可能とするために送信信号の伝送周波数を複数定義することを可能としている。
【００６１】
この複数定義可能なことを利用し、［frequency］において、同一のセグメント受信システムでは同一システム内の送信局の周波数を全て記述し送信する。
【００６２】
携帯電話３の動作説明（図７の説明）に戻ると、上述した［frequency］を参照することにより、携帯電話３は、ＮＩＴに記載されている周波数を取得できることとなる（ステップＳ１８）。
【００６３】
そして、上記のＮＩＴに記述されている周波数の値を全て記憶部３８０にセグメント受信モードのチャンネルリストとして登録し（ステップＳ２０）、送信局１ａでサービスされているセグメント放送の番組を表示する（ステップＳ２２）。
【００６４】
なお、送信局１ａにおいては、送信局１ａの周波数情報と、同一システムである送信局、送信局１ｄ及び送信局１ｃの情報が記載されているため、同一システム用のチャンネルリストが作成されることになる。
【００６５】
ここで、携帯電話３がエリアＢに移動した場合（ステップＳ２４；Ｙｅｓ）、送信局１ａの放送波のサービス圏外となるため、ステップＳ２０において登録されたチャンネルリストを参照し、エリアＢにおいて受信可能な送信局１ｂのチャンネルリストに基づいて選局動作が行われる（ステップＳ３０）。そして、送信局１ｂから送信されるＴＳに基づいてステップＳ１６から処理が実行される。
【００６６】
ここで、携帯電話３が一例としてエリアＢに移動しない場合、番組表示を終了させる指示があるまで番組を表示する（ステップＳ２４；Ｎｏ→ステップＳ２６；Ｎｏ→ステップＳ２４）。
【００６７】
そして、番組表示の終了指示がなされると、ワンセグ終了処理を実行し、本処理を終了する（ステップＳ２６；Ｙｅｓ→ステップＳ２８）。
【００６８】
以上のように、複数の送信局を用いてセグメント放送のサービスを行うシステムの場合、自ら設置する全ての送信局のＮＩＴ情報に同一システム内の全ての周波数データを設定して送信することは、現在の位置では受信できない場所にある同一システムの送信局の情報も、同一システムだけの情報を総て受信機側（携帯電話３）に通知することができるため、確実に視聴者へサービスの通知を行うことが可能になる。
【００６９】
また、受信機側（携帯電話３）は、任意の一箇所の送信局の視聴を通常の視聴処理を行うだけで、現在受信している同一システムの提供しているサービスの全周波数を通知されるため、専用のチャンネルリストを作成することができ、現在受信している送信局のエリア外に移動した場合にシークやスキャン等を行う必要がなく、同一サービスの選局が簡単に行えるようになる。
【００７０】
また、ＮＩＴのテーブルＩＤを他の送信局として区別しないことにより、受信機内のメモリの削減効果もある。
【００７１】
なお、上述の実施形態では、セグメント受信モードで説明したが、狭いエリアで放送するものであればセグメント受信モードに限らず適用可能である。
【００７２】
［５．変形例］
上述した実施形態では本発明を携帯電話に利用した例を記載したが、本発明はワンセグ放送受信可能な機器であれば、他の機器に利用してもよい。例えば、パソコン、携帯端末、カーナビゲーションシステム等が挙げられる。
【００７３】
また、上述した実施形態において、日本の地上デジタル放送のワンセグ放送、及びワンセグ放送から派生したセグメント単位の放送を例にして説明したが、本発明はこれに限らず、隣接する放送帯域間の周波数幅が異なる放送方式を受信可能な受信機に適用可能である。したがって、ワンセグ放送の代わりに通常の地上デジタル放送を受信する受信機や、地上デジタル放送、ワンセグ放送、セグメント分離放送等を受信する受信機においても本発明を適用可能である。
【００７４】
また、上述した実施形態において、ＴＳのＮＩＴの周波数情報のみについてのみ記載したが、ＮＩＴに記載されるＴＳ名（放送局名に相当）、ＳＤＴに記載されるサービス名（編成チャンネル名、放送事業者名についても、それぞれのセグメントのＴＳに、別セグメントのＴＳのものを記載すれば、放送波のあるセグメントの周波数のみでなく、放送局名等も、いずれかのセグメントを受信すれば、全てのセグメントのものを知ることができる。
【００７５】
また、上述した実施形態では、ＮＩＴの受信を行ったときにチャンネルリストの作成を行ったが、ユーザーが視聴中にこのサービスが必要な場合に、ユーザー操作によりチャンネルリストの作成を行うこととしてもよい。
【００７６】
また、上述した実施形態では、周波数のチャンネルリスト作成を行い、視聴者にチャンネルリストとして提示する方法を行ったが、視聴中の放送サービスが移動により圏外になったときに視聴者がシークを行う場合に、全チャンネルの全セグメントに対して行なわず、ステップＳ２０において登録されたチャンネルリストに記述されている周波数のみを検索する方法でも良い。この場合、エリア内で行われている同一の放送サービスシステムにおいて、短時間で放送サービスを視聴することが可能になる。
【００７７】
また、図１０のようなユーザーの移動経路が決まっている環境で同一システムにおけるセグメント受信放送サービスを行っている環境においては、各送信局のＰＳＩ/ＳＩ情報のＮＩＴ内に記述する周波数情報を、同一システム内における、送信局の送信エリアが隣接する送信局、もしくは、送信局と送信局間に他の同一システムの送信局がない送信局のみの周波数情報を記述しておくことにより、選択項目が少なくなり視聴が簡単になるといった効果を奏する。
【００７８】
具体的に説明すると、送信局１Ａの放送サービスがＡのエリアにいる場合に視聴可能であるが、Ｂ、Ｃ、Ｄ、Ｅのエリアの移動することにより送信局１Ａの視聴サービスは圏外になる。その後、同一システムであり、送信エリアが隣接する送信局１Ｂ、１Ｄ、１Ｅと、送信局と送信局間に他の同一システムの送信局がない送信局１Ｃの放送サービスを受信することが可能になるが、送信局１Ｆの放送サービスを受信することはないので、送信局１Ａには周辺の送信局１Ｂ、１Ｃ、１Ｄ及び１Ｅの周波数のみを記載しておく。
【００７９】
その後、ユーザーがＥのエリアに移動した場合、送信局１Ｅは、送信局１Ａと送信局１Ｆの周波数情報のみをＮＩＴに記述しておくようにし、視聴者の移動に併せて同一システム用のチャンネルリストを随時更新していく。
【００８０】
視聴者が、視聴していた放送エリアから移動して圏外になり、次の同一システムのチャンネルを視聴したいと思った場合、実施形態において説明したシステムに比べて選択するチャンネル数が減り、選局時間、またはシーク時間が短くなるといった利点がある。
【００８１】
また、上述した実施形態において、受信中の放送サービスが圏外になった場合に、直前に視聴していた送信局のＰＳＩ/ＳＩ情報のＮＩＴに記載されていた同一システムの周波数のみを自動でスキャンし、受信できる送信局を発見したら自動的に選局することとしてもよい。
【００８２】
通常のワンセグ放送と違い、送信局のサービスを複数重なるエリアを少なく送信局を設置することにより、視聴者は同じネットワークのサービスシステム内の放送サービスのみを自動的に遷移しながら移動することが可能になる。
【図面の簡単な説明】
【００８３】
【図１】本実施形態におけるシステムの概略を示す図である。
【図２】本実施形態における携帯電話の外観を示す図である。
【図３】本実施形態における送信局の機能構成を示す図である。
【図４】本実施形態におけるシステム情報作成部を説明するための図である。
【図５】本実施形態における携帯電話の機能構成を示す図である。
【図６】セグメント放送に関して説明をするための図である。
【図７】本実施形態における携帯電話の処理の流れを説明する動作フローである。
【図８】ＴＳパケットについて説明するための図である。
【図９】ＴＳパケットについて説明するための図である。
【図１０】変形例におけるシステムの概略を説明するための図である。
【符号の説明】
【００８４】
１  送信局
１１０  送信データエンコード部
１１２  システム情報作成部
１１２ａ  ＰＡＴ情報
１１２ｂ  ＰＭＴ情報
１１２ｃ  ＮＩＴ情報
１１２ｄ  ＥＩＴ情報
１１２ｅ  ＢＩＴ情報
１１２ｆ  ＳＤＴ情報
１１４  多重化処理部
１１６  ＣＲＣ符号付加処理部
１１８  データ変調部
１２０  データ送信部
３  携帯電話
３１０  制御部
３２０  無線部
３２２  通信用アンテナ
３２５  通信制御部
３３０  フロントエンド部
３３２  地上デジタル放送受信用アンテナ
３３５  ワンセグ用バックエンド部
３４０  音声復号部
３４５  スピーカ
３５０  音声符号化部
３５５  マイク
３６０  表示部
３７０  入力部
３８０  記憶部
【図１】
2010016442.tif 000003
【図２】
2010016442.tif 000004
【図３】
2010016442.tif 000005
【図４】
2010016442.tif 000006
【図５】
2010016442.tif 000007
【図６】
2010016442.tif 000008
【図７】
2010016442.tif 000009
【図８】
2010016442.tif 000010
【図９】
2010016442.tif 000011
【図１０】
2010016442.tif 000012